(57)【特許請求の範囲】
【請求項１】
発泡合成樹脂の帯状材からなる縁枠の下面に、非発泡の熱可塑性合成樹指を成形加工した前記縁枠の下端面の形状に合致した形状を有する底板材の外周縁を接合することによって形成した単位箱体を複数段に重ねた簡易重箱であって、
前記単位箱体の縁枠のそれぞれの上下の端面には、内側と外側との相対位置に、一枚の縁枠の上下端面を段状に切り出して嵌合用の突起が形成されており、
また、
底板材の外周縁には、縁枠の下端面の断面形状と同一形状を有する段部が形成され、しかも、その段部の内側には、縁枠の内面よりも僅かに内面に当たり部が形成され、この当たり部に沿って縁枠を相対的に下げることによって、段部を嵌合用の突起を含めた縁枠の下端面に当接して接着されており、
それぞれ上下位置にある単位箱体を重ね合わせることにより、前記それぞれの上下端面の突起が嵌合された簡易重箱。
【請求項２】
発泡合成樹脂製の一体成型物で、その下縁には、最上段の単位箱体の縁枠の上端面に形成した突起と嵌合する突起を設けた蓋を有する請求項１に記載の簡易重箱。
【発明の詳細な説明】
【０００１】
【発明の属する技術分野】
本発明は、熱可塑性合成樹脂からなる薄底板に発泡合成樹脂の帯状板からなる縁枠の端面を接合した単位箱体を複数積み重ねた簡易重箱に関する。
【０００２】
【従来の技術】
この簡易重箱として、本願の出願人は、先に実公平６−２９０８号公報において、熱可塑性合成樹詣からなる薄底板に発泡合成樹脂の帯状材からなる縁枠の端面を接合した単位箱体の縁枠を内縁枠とし、この内縁枠の外面に内縁枠と略同じ幅を有する外縁枠をその上端縁を内縁枠の上端縁よりずらせて外嵌して、前記内縁枠の上端縁外面に段差を形成して嵌合凸部を形成すると共に前記内縁枠の下端縁外面に外縁枠によって突出部を有する嵌合凹部で段差を形成し、さらに、それぞれの単位箱体の嵌合凸部と嵌合凹部とを嵌合した構造のものを開示した。
【０００３】
この簡易重箱は、強度的に優れていることから、野外での使用にも、木製の重箱並に使用できるという利点がある。
【０００４】
【発明が解決しようとする課題】
ところが、この重箱は、その製造に手間を要し、また、重箱としての外見上、内縁枠と外縁枠が見えて不自然であり、製造上も余分に枠材料を要するという欠点がある。
【０００５】
本発明が解決しようとする課題は、より外見が自然で、比較的少ない材料で簡単に組立ができる簡易重箱を提供することにある。
【０００６】
【課題を解決するための手段】
本発明の簡易重箱は、発泡合成樹脂の帯状材からなる縁枠の下面に、非発泡の熱可塑性合成樹指を成形加工した前記縁枠の下端面の形状に合致した形状を有する底板材の外周縁を接合することによって形成した単位箱体を複数段に重ねた簡易重箱であって、前記単位箱体の縁枠のそれぞれの上下の端面には、内側と外側との相対位置に、一枚の縁枠の上下端面を段状に切り出して嵌合用の突起が形成されており、また、底板材の外周縁には、縁枠の下端面の断面形状と同一形状を有する段部が形成され、しかも、その段部の内側には、縁枠の内面よりも僅かに内面に当たり部が形成され、この当たり部に沿って縁枠を相対的に下げることによって、段部を嵌合用の突起を含めた縁枠の下端面に当接して接着されており、それぞれ上下位置にある単位箱体を重ね合わせることにより、前記それぞれの上下端面の突起が嵌合されていることを特徴とする。
【０００７】
【発明の実施の形態】
以下に、本発明の実施の形態を実施例によって説明する。
【０００８】
図１は、本発明を３個の単位箱体１１，１２，１３から３段重ねの簡易重箱に適用した例を示すもので、各単位箱体を断面によって示す。４は蓋を示す。
【０００９】
それぞれの単位箱体は、ポリスチレンボード等の発泡合成樹脂の帯状材からなる縁枠２の下面に、ポリエチレン、ポリプロピレン、ポリスチレン等の非発泡の熱可塑性合成樹指を成形加工した底板材３の外周縁３１を熱融着、あるいは接着剤によって接合したものである。
【００１０】
その縁枠２の上下端面には、それぞれ上下に位置する他の単位箱体の端面と嵌合できるように、突起２１と２２が形成されている。これらの上下端面のそれぞれに形成された突起２１と２２は、それぞれの端面において内側と外側との相対位置に形成されており、それぞれの重ね合わせにより嵌合できるようになっている。
【００１１】
また、底板材３は、第１段の単位箱体１１のように、その表面はフラットでもよく、また、第２段の単位箱体１２のように任意の仕切３２を設けることもできる。
【００１２】
なお、最下段の単位箱体１３は、足くり２４を形成し、また、縁枠２の突起を上端面のみに形成した例を示しているが、第１段と第２段の単位箱体１１，１２と同様に上下端面の両方に突起２１，２２を形成したものをそのまま利用することもできる。勿論、この場合、各単位箱体１１，１２，１３の順位は問わない。
図２は、各単位箱体の構成の説明に便利なように、図１に示す第１段の単位箱体１１を例にとって説明するものである。
【００１３】
縁枠２の上下端面に形成された突起２１と２２は、一枚の縁枠２の上下端面を段状に切り出して形成する。底板材３の外周縁３１には、縁枠２の下端面の断面形状と同一形状を有する段部３３が形成され、しかも、その段部３３の内側には、縁枠２の内面２３よりも僅かに内面に当たり部３４が形成されている。したがって、当たり部３４に沿って縁枠２を相対的に下げると、段部３３は嵌合用の突起２２を含めた縁枠２の下端面に当接し、その当接部分の下面から熱融着する。これによって、縁枠２の下端面の底板材３との接合部分は広くなり、組み立てられた単位箱体１１の強度は十分に確保できる。
【００１４】
同様にして、図１に示す第２段の単位箱体１２と第３段の単位箱体１３も同様にして組み立てる。
【００１５】
その中、最下段の単位箱体１３は、下縁に足くり２４を形成した縁枠を接着剤によって接合する場合もある。蓋は、発泡合成樹脂製の落とし蓋や、発泡合成樹脂製の縁枠と紙の入れ底構造の蓋等も用いることができる。これによって、重箱としての豪華なイメージを創りだすことができる。
【００１６】
さらに、図１に示す蓋４は、通常発泡合成樹脂製の一体成型物で、その下縁は最上段の単位箱体１１の縁枠２の上端面に形成した突起２２と嵌合できるようにした構造の例を示しているが、単に、最上段の単位箱体１１上に載置するものでもよい。
【００１７】
このように、組み立てたそれぞれの単位箱体１１，１２，１３を順に重ね合わせ、それぞれの上下の突起部分を嵌合することによって、図３に示す簡易重箱１０を得ることができる。
【００１８】
以上、本発明を三段重ねの簡易重箱に適用した例について説明したが、それ以上の段数のものとすることもできる。また、最も普遍的な四角形の重箱について説明したが、その他の多角形、円形等の変わった外形を有する重箱を形成することもできる。
【００１９】
【発明の効果】
本発明の簡易重箱は、以下の効果を奏する。
【００２０】
１．外見に不自然さがない。
【００２１】
２．単純な構造でありながら、充分な強度を有する。
【００２２】
３．構成部材数が少なく、組立の工数も少なくて済むためにコストが安く済む。
【図面の簡単な説明】
【図１】  本発明の実施例であって、各単位箱体を断面によって示す。
【図２】  単位箱体の構成部材を示す
【図３】  重箱の外観を示す。
【符号の説明】
１１，１２，１３  単位箱体
２  縁枠
２１，２２  縁枠の上下端面の突起      ２３  縁枠２の内面
２４  足くり
３  底板材
３１  底板材の外周縁      ３２  仕切      ３３  外周縁の段部
３４  当たり部
４  蓋
１０  重箱
【図１】
0004177490.tif 000002
【図２】
0004177490.tif 000003
【図３】
0004177490.tif 000004